(57)【特許請求の範囲】
【請求項１】
橋梁において、隣接する桁と桁または桁と地盤との間に設置されて、これらの橋軸方向の変位に追随して伸縮し、橋面の連続性を保つための橋梁の連結装置であって、
前記隣接する桁と桁または桁と地盤との間に生じる間隙部をその上方から覆うように設置された板状の上部構成体と、前記桁または地盤の他方に対して、橋軸方向の相対変位が規制されるとともに、橋軸方向と直交する方向の相対変位が許容された状態でその一端側が係合された下部構成体とを備えてなり、
前記上部構成体は、前記桁または地盤の一方の側に固定されるとともに、前記桁または地盤の他方の側から、少なくとも橋軸方向に変位自在に支持され、
前記下部構成体は、その他端側が、前記桁または地盤の一方に対して、橋軸方向の相対変位が許容されるとともに、該橋軸方向と直交する方向の相対変位が規制された状態で接続され、
前記上部構成体は、その下面の少なくとも一部が、該下部構成体により支持され、
前記下部構成体の前記他端側の先端に、前記橋軸方向に突出する棒状部が設けられ、
前記桁または地盤の一方における前記下部構成体と対向する端部には、該棒状部を受け入れる間隙が設けられる一方、
前記下部構成体の前記一端側の先端に、前記橋軸方向に突出する突出部が設けられ、
該突出部の先端に、上方または下方へ向けて延出する凸部が設けられ、
該桁または地盤の他方における前記下部構成体と対向する端部には、下方または上方を向いた状態で溝部が設けられ、
前記桁または地盤の他方と前記下部構成体とが係合する係合部は、該凸部と該溝部とが係合することによって形成されていることを特徴とする橋梁の連結装置。
【請求項２】
橋梁において、隣接する桁と桁または桁と地盤との間に設置されて、これらの橋軸方向の変位に追随して伸縮し、橋面の連続性を保つための橋梁の連結装置であって、
前記隣接する桁と桁または桁と地盤との間に生じる間隙部をその上方から覆うように設置された板状の上部構成体と、前記桁または地盤の他方に対して、橋軸方向の相対変位が規制されるとともに、橋軸方向と直交する方向の相対変位が許容された状態でその一端側が係合された下部構成体とを備えてなり、
前記上部構成体は、前記桁または地盤の一方の側に固定されるとともに、前記桁または地盤の他方の側から、少なくとも橋軸方向に変位自在に支持され、
前記下部構成体は、その他端側が、前記桁または地盤の一方に対して、橋軸方向の相対変位が許容されるとともに、該橋軸方向と直交する方向の相対変位が規制された状態で接続され、
前記上部構成体は、その下面の少なくとも一部が、該下部構成体により支持され、
前記上部構成体は、前記橋面を形成する第一の主壁部と、該第一の主壁部の下面から、前記橋軸方向に直交する断面を視た場合に櫛歯状に下方に突出する複数の下方突出壁部とを備えてなり、
前記下部構成体は、前記棒状部がその先端に形成された板状の第二の主壁部と、該第二の主壁部の上面から、前記橋軸方向に直交する断面を視た場合に櫛歯状に上方に突出する複数の上方突出壁部とを備えてなり、
これら上部構成体および下部構成体は、前記上方突出壁部間に形成される溝に前記下方突出壁部を位置させ、前記下方突出壁部間に形成される溝に前記上方突出壁部を位置させた状態で互いに嵌合していることを特徴とする橋梁の連結装置。
【請求項３】
請求項２記載の橋梁の連結装置であって、
前記下部構成体の前記他端側の先端に、前記橋軸方向に突出する棒状部が設けられ、
前記桁または地盤の一方における前記下部構成体と対向する端部には、該棒状部を受け入れる間隙が設けられる一方、
前記下部構成体の前記一端側の先端に、前記橋軸方向に突出する突出部が設けられ、
該突出部の先端に、上方または下方へ向けて延出する凸部が設けられ、
該桁または地盤の他方における前記下部構成体と対向する端部には、下方または上方を向いた状態で溝部が設けられ、
前記桁または地盤の他方と前記下部構成体とが係合する係合部は、該凸部と該溝部とが係合することによって形成されていることを特徴とする橋梁の連結装置。
【発明の詳細な説明】
【０００１】
【発明の属する技術分野】
本発明は、橋梁において、隣接する桁と桁または桁と地盤との間に設置されて、これらの橋軸方向の変位に追随して伸縮し、橋面の連続性を保つための橋梁の連結装置に関するものである。
【０００２】
【従来の技術】
この種の装置としては、従来より、図１１や図１２において示すようなものが使用されてきた。
図１１は、橋梁１の桁２の間に生じる間隙部３に対して設置された連結装置４の一例を示す図であって、（ａ）は、これを側面から視た際の状態を、（ｂ）は、これを上方から見た場合の状態を示している。連結装置４は、その平面形状が櫛歯状とされた一対の鉄板５からなるものであり、図中Ａとして示した橋梁１の橋軸方向に桁２等が伸縮して間隙部３の寸法が変化した際に、橋面６の連続性を保つ役割を果たす。
【０００３】
図１２は、連結装置４の別の例を示す図であり、橋梁１を側面からみた場合の図を示している。連結装置４は、桁２間に生じる間隙部３に対して設置されたゴム製の伸縮部材７からなるものであり、図中にＡとして示した方向に橋梁１が変位した際には、伸縮部材７も同時に伸縮することによって、橋面６の連続性が保たれる。
【０００４】
【発明が解決しようとする課題】
しかしながら、これらの連結装置４は、その許容変形量が１０〜３０ｃｍ程度であり、大変形が想定される橋梁においては、使用が困難であるという問題点があった。また、大変形に対応可能なように改良したものは、かなり複雑な構造が必要となっていた。
【０００５】
さらに、上記の連結装置４においては、橋軸方向と直交する方向の自由度がなく拘束されているため、例えば、これを地盤と桁の間に生じる間隙部に適用した場合には、地震等によって地盤が橋軸と直交する方向に水平変位した際、追随することが困難であり、その結果、橋面の連続性が保てなくなるという問題点があった。
【０００６】
このような事情に鑑み、本発明の橋梁の連結装置においては、橋軸方向の大変形にも追随が可能であるとともに、橋軸と直交する水平方向の変位にも対応が可能な橋梁の連結装置を提供することを目的とする。
【０００７】
【課題を解決するための手段】
本発明においては、上記課題を解決するために、以下の手段を採用した。
すなわち、請求項１記載の橋梁の連結装置は、
橋梁において、隣接する桁と桁または桁と地盤との間に設置されて、これらの橋軸方向の変位に追随して伸縮し、橋面の連続性を保つための橋梁の連結装置であって、
前記隣接する桁と桁または桁と地盤との間に生じる間隙部をその上方から覆うように設置された板状の上部構成体と、前記桁または地盤の他方に対して、橋軸方向の相対変位が規制されるとともに、橋軸方向と直交する方向の相対変位が許容された状態でその一端側が係合された下部構成体とを備えてなり、
前記上部構成体は、前記桁または地盤の一方の側に固定されるとともに、前記桁または地盤の他方の側から、少なくとも橋軸方向に変位自在に支持され、
前記下部構成体は、その他端側が、前記桁または地盤の一方に対して、橋軸方向の相対変位が許容されるとともに、該橋軸方向と直交する方向の相対変位が規制された状態で接続され、
前記上部構成体は、その下面の少なくとも一部が、該下部構成体により支持され、
前記下部構成体の前記他端側の先端に、前記橋軸方向に突出する棒状部が設けられ、
前記桁または地盤の一方における前記下部構成体と対向する端部には、該棒状部を受け入れる間隙が設けられる一方、
前記下部構成体の前記一端側の先端に、前記橋軸方向に突出する突出部が設けられ、
該突出部の先端に、上方または下方へ向けて延出する凸部が設けられ、
該桁または地盤の他方における前記下部構成体と対向する端部には、下方または上方を向いた状態で溝部が設けられ、
前記桁または地盤の他方と前記下部構成体とが係合する係合部は、該凸部と該溝部とが係合することによって形成されていることを特徴とする。
【０００８】
この橋梁の連結装置においては、上部構成体が間隙部を上方から遮蔽することによって橋面の連続性が保たれる。また、この上部構成体が桁または地盤の一方に固定され、他方から橋軸方向に変位自在に支持されることよって、橋軸方向に橋梁または地盤が変位した際にも、橋面の連続性が損なわれることがない。
また、橋面を構成する上部構成体が下部構成体によって支持されることによって、上部構成体が、桁または地盤の他方に対して、橋軸方向の相対変位が許容されるとともに、該橋軸方向と直交する方向の相対変位が規制された状態で接続することとなり、その結果、間隙部の寸法の変化にかかわらず、橋面の連続性が保たれる。
また、下部構成体の先端に設けられた棒状部と、桁または地盤の一方に設けられた棒状部を受け入れる間隙とによって、下部構成体と桁または地盤の一方とが、橋軸方向の相対変位が許容されるとともに、橋軸方向と直交する方向の相対変位が規制された状態で接続される。また、上記の溝部および凸部が嵌合することによって、下部構成体と桁または地盤の他方とが、橋軸方向の相対変位が規制されるとともに、橋軸方向と直交する方向の相対変位が許容された状態で接続することとなる。
【０００９】
請求項２記載の橋梁の連結装置は、橋梁において、隣接する桁と桁または桁と地盤との間に設置されて、これらの橋軸方向の変位に追随して伸縮し、橋面の連続性を保つための橋梁の連結装置であって、
前記隣接する桁と桁または桁と地盤との間に生じる間隙部をその上方から覆うように設置された板状の上部構成体と、前記桁または地盤の他方に対して、橋軸方向の相対変位が規制されるとともに、橋軸方向と直交する方向の相対変位が許容された状態でその一端側が係合された下部構成体とを備えてなり、
前記上部構成体は、前記桁または地盤の一方の側に固定されるとともに、前記桁または地盤の他方の側から、少なくとも橋軸方向に変位自在に支持され、
前記下部構成体は、その他端側が、前記桁または地盤の一方に対して、橋軸方向の相対変位が許容されるとともに、該橋軸方向と直交する方向の相対変位が規制された状態で接続され、
前記上部構成体は、その下面の少なくとも一部が、該下部構成体により支持され、
前記上部構成体は、前記橋面を形成する第一の主壁部と、該第一の主壁部の下面から、前記橋軸方向に直交する断面を視た場合に櫛歯状に下方に突出する複数の下方突出壁部とを備えてなり、
前記下部構成体は、前記棒状部がその先端に形成された板状の第二の主壁部と、該第二の主壁部の上面から、前記橋軸方向に直交する断面を視た場合に櫛歯状に上方に突出する複数の上方突出壁部とを備えてなり、
これら上部構成体および下部構成体は、前記上方突出壁部間に形成される溝に前記下方突出壁部を位置させ、前記下方突出壁部間に形成される溝に前記上方突出壁部を位置させた状態で互いに嵌合していることを特徴とする。
【００１０】
この橋梁の連結装置によれば、上部構成体が間隙部を上方から遮蔽することによって橋面の連続性が保たれる。また、この上部構成体が桁または地盤の一方に固定され、他方から橋軸方向に変位自在に支持されることよって、橋軸方向に橋梁または地盤が変位した際にも、橋面の連続性が損なわれることがない。
また、橋面を構成する上部構成体が下部構成体によって支持されることによって、上部構成体が、桁または地盤の他方に対して、橋軸方向の相対変位が許容されるとともに、該橋軸方向と直交する方向の相対変位が規制された状態で接続することとなり、その結果、間隙部の寸法の変化にかかわらず、橋面の連続性が保たれる。
また、上部構成体および下部構成体は、上方突出壁部間に形成される溝に下方突出壁部を位置させ、下方突出壁部間に形成される溝に上方突出壁部を位置させた状態で互いに嵌合している構成とされていることから、下部構成体が上部構成体を、橋軸方向に変位自在に支持することが可能である。
【００１１】
請求項３記載の橋梁の連結装置は、請求項２記載の橋梁の連結装置であって、前記下部構成体の前記他端側の先端に、前記橋軸方向に突出する棒状部が設けられ、
前記桁または地盤の一方における前記下部構成体と対向する端部には、該棒状部を受け入れる間隙が設けられる一方、
前記下部構成体の前記一端側の先端に、前記橋軸方向に突出する突出部が設けられ、
該突出部の先端に、上方または下方へ向けて延出する凸部が設けられ、
該桁または地盤の他方における前記下部構成体と対向する端部には、下方または上方を向いた状態で溝部が設けられ、
前記桁または地盤の他方と前記下部構成体とが係合する係合部は、該凸部と該溝部とが係合することによって形成されていることを特徴とする。
【００１２】
この橋梁の連結装置においては、下部構成体の先端に設けられた棒状部と、桁または地盤の一方に設けられた棒状部を受け入れる間隙とによって、下部構成体と桁または地盤の一方とが、橋軸方向の相対変位が許容されるとともに、橋軸方向と直交する方向の相対変位が規制された状態で接続される。
また、上記の溝部および凸部が嵌合することによって、下部構成体と桁または地盤の他方とが、橋軸方向の相対変位が規制されるとともに、橋軸方向と直交する方向の相対変位が許容された状態で接続することとなる。
【００１５】
【発明の実施の形態】
以下、本発明の実施の形態を、図面に基づいて説明する。
ここで説明する実施の形態は、本発明を、橋桁構造形式が浮体式である橋梁において、桁と地盤との間を連絡する際に適用したものである。
図２（ａ）は、本発明の実施の形態を示す図であり、符号１１は、橋梁の連結装置を表す。橋梁の連結装置１１は、地盤１２上に設置された舗装板１３と、桁１４側に連結された連結板１５との間の間隙部１６に対して設置されたものであり、舗装板１３に固定され、橋面１７の一部を構成する板状の上部構成体１８と、上部構成体１８を支持するとともに、連結板１５と係合する下部構成体２０とを備えて構成されている。
【００１６】
桁１４は、地盤１２に建設された橋台２１によって、支承２２を介して支持されている。支承２２は、橋軸方向（図中Ａとして示した方向）に橋台２１上を滑動することが可能とされており、これにより桁１４は、橋台２１に対して橋軸方向（Ａ方向）に相対変位することが可能となっている。
【００１７】
図２（ｂ）は、地盤１２が何らかの原因により橋軸方向に移動した場合の状況を示した図である。図中には、地盤１２が、図２（ａ）において示した状態から、図中Ｂ方向にδ変位した場合の状況が示されている。
桁１４に対して固定された連結板１５、および連結板１５に係合された下部構成体２０は、橋台２１に設けられた連結板支持部２３、および地盤１２に設けられた連結装置基礎２４によって橋軸方向（Ａ方向）に変位自在に支持されており、これら連結板１５および下部構成体２０は、図２（ｂ）においては、（ａ）に示した状態と比べて、橋台２１に対してＣ方向にδ変位している。
【００１８】
図３は、上部構成体１８の構造を拡大して示した図である。このように上部構成体１８は、板状の第一の主壁部２５と、第一の主壁部の下面２５ａから橋軸方向（Ａ方向）に直交する断面を視た場合に、下方に櫛歯状に突出する複数の下方突出壁部２６、２６、…とを備えて構成されている。
また、図４は、下部構成体２０の構造を拡大して示した図である。下部構成体は、板状に形成された第二の主壁部２８と、第二の主壁部２８の上面２８ａから橋軸方向（Ａ方向）に直交する断面を視た場合に、上方に櫛歯状に突出する複数の上方突出壁部２９、２９、…とを備えて構成されている。
また、第二の主壁部２８の先端は、橋軸方向（Ａ方向）に突出し、舗装板１３に受け入れられる棒状部３０、３０、…とされている。
【００１９】
図２（ａ）、（ｂ）において示した橋梁の連結装置１１を拡大して示した図が図１（ａ）、（ｂ）であり、これら図１（ａ）、（ｂ）は、それぞれ図２における（ａ）、（ｂ）と対応している。
図中に示すように、上部構成体１８は、間隙部１６を上方から覆うように設置されており、その上面１８ａが橋面１７の一部として形成されるとともに、舗装板１３側の端部１８ｂは、舗装板１３に対して固定され、連結板１５側の端部１８ｃは、連結板１５によって図中Ａ方向に変位自在に支持されている。さらに、その下面１８ｄにおいては、下方突出壁部２６、２６、…が、上方突出壁部２９、２９、…に対して嵌合した状態で配置されている。
また、下部構成体２０は、その棒状部３０が、舗装板１３側に向くように配置される。さらに、舗装板１３には、棒状部３０を受け入れるための間隙３２が設けられており、間隙３２内に棒状部３０が配置された状態とされる。また、下部構成体２０の連結板１５側の端部２０ａには突出部３５が設けられ、突出部３５は連結板１５の端部１５ａとともに、係合部３６を形成している。
【００２０】
図５ないし図９は、図１（ｂ）におけるＤ−ＤないしＨ−Ｈ断面の構造をそれぞれ示したものである。図５は、図１（ｂ）におけるＤ−Ｄ断面を示した図であり、図中に示すように、間隙３２、３２、…は、舗装板１３の下面１３ａにおいて、その断面がコの字状の切欠として形成された構成とされている。また、図６は、図１（ｂ）におけるＥ−Ｅ断面を示した図であり、このように、棒状部３０は、その少なくとも先端が間隙３２、３２、…の内部側に位置するように配置されている。これにより、下部構成体２０は、舗装板１３に対して、橋軸方向の相対変位が許容されるとともに、橋軸方向と直交する方向の相対変位が規制された状態で接続することとなる。
図７は、図１（ｂ）におけるＦ−Ｆ断面を示した図であり、図中に示すように、上部構成体１８は、最も舗装板１３寄りの位置においては、下方突出壁部２６が、下部構成体２０における棒状部３０に上方から接するように、下部構成体２０に対して配置され、これにより、下部構成体２０によって支持されることとなる。
【００２１】
また、図８に示すように、図１（ｂ）におけるＧ−Ｇ断面の近傍においては、上部構成体１８と下部構成体２０は、下方突出壁部２６、２６、…が上方突出壁部２９間に形成される溝３８間に位置するように、また上方突出壁部２９、２９、…が下方突出壁部２６、２６、…間に形成される溝３９間に位置するように配置され、互いに嵌合する状態とされる。
図９は、図１（ｂ）におけるＨ−Ｈ断面を示した図であり、図中に示すように、上部構成体１８および下部構成体２０は、その最も連絡板１５に近い側においては、第一の主壁部２５が、上方突出壁部２９の上側に載置された状態となるように接している。
また、図５ないし図８に示した上部構成体１８および下部構成体２０の接触部においては、これらの間に生じる摩擦を減少させるためのグリース等の界面活性剤が塗布されている。
【００２２】
図１０は、図１に示した下部構成体２０と連結板１５との係合部３６の構造を拡大して示した図である。
下部構成体２０の端部２０ａに設けられた突出部３５には、下方へ向けて延出する凸部４１が形成されており、また、連結板１５の端部１５ａにおいては、上方へ向いた溝部４２が形成されている。
係合部３６は、これら凸部４１および溝部４２が嵌合することによって形成され、下部構成体２０と連結板１５との橋軸方向（Ａ方向）との相対変位を規制するとともに、橋軸方向と直交する方向の水平方向の相対変位を許容する機能を果たす。
【００２３】
以上が、本実施の形態の主要な構成であるが、次に、地盤１２が変位したときに、橋梁の連結装置１１がどのように作用するかについて述べる。
地盤１２が図２（ａ）に示された状態から、（ｂ）に示された状態に距離δだけＢ方向に変位した場合、上部構成体１８は、地盤１２に対して設置された舗装板１３に固定されているため、同様にＢ方向に変位することとなる。しかし、桁１４側に固定された連結板１５には変位は生じないため、上部構成体１８は、下部構成体２０に対して、Ｂ方向にδだけ変位することとなる。
【００２４】
このとき、橋梁の連結装置１１は、図１（ｂ）において示したような状態となるが、この状態においても、図１（ａ）において示した状態と同様に、上部構成体１８は下部構成体２０から支持され、また、端部１８ｂは連結板１５に接続した状態とされる。したがって、舗装板１３と連結板１５との間に段差が発生せず、橋面１７の連続性が確保されるだけでなく、重量物が上部構成体１８上を通過した際にも、輪荷重が地盤１２に確実に伝達されることとなる。
また、橋梁の連結装置１１においては、連結板１５と下部構成体２０とが橋軸方向と直交する水平方向に相対変位することが可能とれているため、地震が発生した際などにおいて、同方向の力が作用した場合においてもその衝撃力が緩和される。
【００２５】
このように、橋梁の連結装置１１は、橋梁または地盤の橋軸方向の水平変位に追随して、橋面の連続性を保つことができ、その許容変形量は、従来の連結装置に比較して、非常に大きいものとすることができる。このため、本実施の形態の橋梁の連結装置１１においては、例えば、大水深の海上人工島に対して建設された連絡橋のように、長期に渡って、大規模な地盤の沈下や、それに伴う水平方向への地盤の移動が想定され、橋梁の桁と桁、または桁と地盤間に比較的大きな変位が生じると考えられる場合などにも適用することができる。
【００２６】
また、本実施の形態の橋梁の連結装置１１は、橋軸方向、および橋軸と直交する水平方向に自由度を有しているため、地震発生時に、橋梁または橋梁と地盤との間に発生する相対変位を吸収することができ、その結果、橋梁の安全性を高めることもできる。
【００２７】
なお、本実施の形態によれば、橋梁の連結装置１１は、桁１４と地盤１２とを連結する際に用いられているが、本発明を、隣接する桁と桁とを連結する際に使用するようにしても構わない。
また、本実施の形態の橋梁の連結装置１１に対して、地震が発生した場合に、装置に過度の負担がかかることを防ぐために防衝装置を設けるようにしてもよい。
また、上部構成体１８および下部構成体２０の間の摩擦を減少させるために、これらの間にグリースを塗布するだけでなく、四フッ化エチレンからなる材料を用いて表面処理を施すようにしてもよい。
【００２８】
【発明の効果】
以上説明したように、請求項１に係る橋梁の連結装置によれば、板状に形成された上部構成体が、桁と桁、または桁と地盤との間に生じる間隙部を上方から覆うように設置され、この上部構成体が、桁または地盤の一方の側から固定されるとともに、他方の側から少なくとも橋軸方向に変位自在に支持されることにより、橋梁もしくは地盤が橋軸方向に変位した場合にも、橋面の連続性が保たれ、また、従来の装置に比較して、許容変形量が大きなものが実現可能である。
また、下部構成体が、桁または地盤の一方に対しては、橋軸方向の相対変位が許容されるとともに、橋軸と直交する方向の相対変位が規制された状態で接続し、桁または地盤の他方に対しては、その一端が、橋軸方向の相対変位が規制されるとともに、橋軸と直交する方向の相対変位が許容された状態で係合する構成とされ、さらに、上部構成体が下部構成体によって支持される。したがって、本発明によれば、請求項１に係る発明が実現可能であり、また、桁と桁または桁と地盤との間に橋軸と直交する方向の水平方向の変位が生じた場合にも、その変位に追随することが可能である。したがって、本発明によれば、地震時などに橋梁および地盤間等に作用する衝撃を減少させることが可能であり、橋梁の安全性を向上させることが可能となる。
さらに、下部構成体の先端に設けられた棒状部を、桁または地盤の一方の端部に対して設けられた間隙が受け入れる構成とされる。また、下部構成体において、棒状部とは反対側の端部に設けられた突出部には、上方または下方に向けて延出する凸部が設けられるとともに、桁または地盤の他方における該突出部と対向する端部には、下方または上方へ向いた溝部が設けられ、これら凸部および溝部が係合する構成とされている。この棒状部と間隙によって、下部構成体は、桁または地盤の一方に対して、橋軸方向の相対変位が許容されるとともに、橋軸方向と直交する方向の相対変位が規制されるように接続され、また、凸部および溝部によって、下部構成体は、桁または地盤の他方に対して、橋軸方向の相対変位が規制されるとともに、橋軸方向と直交する水平方向の相対変位が許容されるように係合することができる。このため、上述したような状態で係合する下部構成体が、簡易な構造で良好に実現可能とされる。
【００２９】
請求項２に係る橋梁の連結装置においては、板状に形成された上部構成体が、桁と桁、または桁と地盤との間に生じる間隙部を上方から覆うように設置され、この上部構成体が、桁または地盤の一方の側から固定されるとともに、他方の側から少なくとも橋軸方向に変位自在に支持されることにより、橋梁もしくは地盤が橋軸方向に変位した場合にも、橋面の連続性が保たれ、また、従来の装置に比較して、許容変形量が大きなものが実現可能である。
また、下部構成体が、桁または地盤の一方に対しては、橋軸方向の相対変位が許容されるとともに、橋軸と直交する方向の相対変位が規制された状態で接続し、桁または地盤の他方に対しては、その一端が、橋軸方向の相対変位が規制されるとともに、橋軸と直交する方向の相対変位が許容された状態で係合する構成とされ、さらに、上部構成体が下部構成体によって支持される。したがって、本発明によれば、請求項１に係る発明が実現可能であり、また、桁と桁または桁と地盤との間に橋軸と直交する方向の水平方向の変位が生じた場合にも、その変位に追随することが可能である。したがって、本発明によれば、地震時などに橋梁および地盤間等に作用する衝撃を減少させることが可能であり、橋梁の安全性を向上させることが可能となる。
さらに、上部構成体の下面に設けられた下方突出壁部と、下部構成体の上面に設けられた上方突出壁部が嵌合する構成とされているために、上部構成体が、下部構成体により、橋軸方向の相対変位が可能とされるとともに、橋軸と直交する方向の相対変位が規制された状態で支持されることとなり、請求項１ないし３に記載された発明が安定な構造で実現可能である。
【００３０】
請求項３に係る橋梁の連結装置においては、上述した請求項２に係る発明の効果に加えて、下部構成体の先端に設けられた棒状部を、桁または地盤の一方の端部に対して設けられた間隙が受け入れる構成とされる。また、下部構成体において、棒状部とは反対側の端部に設けられた突出部には、上方または下方に向けて延出する凸部が設けられるとともに、桁または地盤の他方における該突出部と対向する端部には、下方または上方へ向いた溝部が設けられ、これら凸部および溝部が係合する構成とされている。この棒状部と間隙によって、下部構成体は、桁または地盤の一方に対して、橋軸方向の相対変位が許容されるとともに、橋軸方向と直交する方向の相対変位が規制されるように接続され、また、凸部および溝部によって、下部構成体は、桁または地盤の他方に対して、橋軸方向の相対変位が規制されるとともに、橋軸方向と直交する水平方向の相対変位が許容されるように係合することができる。このため、請求項２に係る発明が、簡易な構造で良好に実現可能とされる。
【図面の簡単な説明】
【図１】本発明の一実施の形態の形態を模式的に示す橋梁の連結装置の拡大断面図であって、（ａ）は、通常の状態を、（ｂ）は、地盤が橋軸方向に水平変位した際の状況を示す図である。
【図２】図１に示した橋梁の連結装置が橋梁に対して適用された場合の状態を示す断面図であって、（ａ）は、通常の状態を、（ｂ）は、地盤が橋軸方向に水平変位した際の状況を示す図である。
【図３】本発明の橋梁の連結装置における上部構成体の外観を示す斜視図である。
【図４】本発明の橋梁の連結装置における下部構成体の外観を示す斜視図である。
【図５】図１（ｂ）に示した橋梁の連結装置におけるＤ−Ｄ矢視断面図である。
【図６】図１（ｂ）に示した橋梁の連結装置におけるＥ−Ｅ矢視断面図である。
【図７】図１（ｂ）に示した橋梁の連結装置におけるＦ−Ｆ矢視断面図である。
【図８】図１（ｂ）に示した橋梁の連結装置におけるＧ−Ｇ矢視断面図である。
【図９】図１（ｂ）に示した橋梁の連結装置におけるＨ−Ｈ矢視断面図である。
【図１０】図１に示した橋梁の連結装置における下部構成体と連結板との係合部を拡大して示した断面図である。
【図１１】本発明の従来の技術を示すための図であって、（ａ）は、連結装置の側面図、（ｂ）は同平面図である。
【図１２】本発明の従来の技術を示すための連結装置の側面図である。
【符号の説明】
１１  橋梁の連結装置
１２  地盤
１４  桁
１６  間隙部
１７  橋面
２５  第一の主壁部
２５ａ  下面
２６  下方突出壁部
２８  第二の主壁部
２８ａ  上面
２９  上方突出壁部
３０  棒状部
３２  間隙
３５  突出部
３６  係合部
３８  溝
３９  溝
４１  凸部
４２  溝部
【図１】
0003622398.tif 000002
【図２】
0003622398.tif 000003
【図３】
0003622398.tif 000004
【図４】
0003622398.tif 000005
【図５】
0003622398.tif 000006
【図６】
0003622398.tif 000007
【図７】
0003622398.tif 000008
【図８】
0003622398.tif 000009
【図９】
0003622398.tif 000010
【図１０】
0003622398.tif 000011
【図１１】
0003622398.tif 000012
【図１２】
0003622398.tif 000013